(57)【要約】【目的】グラフ表示するデータの変動範囲に最も適合した上限値と下限値の目盛り軸を自動的に設定できるようにする。【構成】データ表示装置の制御手段に入力されたデータから、最大値及び最小値を求め、これらを丸めて整数Ｍ及び整数ｍを得る。次に、整数Ｍと整数ｍを比較して桁数の多い方の桁をｎとし、１０(n-1) を演算してその結果をＮとする。そして、整数ＭをＮの位で繰上げして得た数値を目盛りの上限値Ｈとし、整数ｍをＮの位で切り捨てして得た数値を目盛りの下限値Ｌとする。グラフ表示すべきデータにとって最も適切な表示範囲が設定され、変動が視認し易くかつ表示範囲をオーバーすることのないグラフ表示を常に行なうことができる。【選択図】図１
2005127798.tif 000002
【特許請求の範囲】
【請求項１】
入力されたデータを表示手段上にグラフとして表示するデータ表示装置において、
前記表示手段に表示すべきデータの最大値と最小値を求め、前記表示手段に設定する目盛りの上限値を前記最大値よりも大きく設定し、前記表示手段に設定する目盛りの下限値を前記最小値よりも小さく設定する制御手段を備えたことを特徴とするデータ表示装置。
【請求項２】
入力されたデータを表示手段上にグラフとして表示するデータ表示装置において、
前記表示手段に表示すべきデータの最大値及び最小値を求めてそれぞれ整数Ｍ及び整数ｍに丸め、整数Ｍと整数ｍで桁数の多い方の桁をｎとし、１０(n-1) を演算してＮとし、整数ＭをＮの位で繰上げして得た数値を目盛りの上限値とし、整数ｍをＮの位で切り捨てして得た数値を目盛りの下限値とし、前記表示手段に目盛りの上限値と目盛りの下限値を設定する制御手段を備えたことを特徴とするデータ表示装置。
【発明の詳細な説明】
【技術分野】
【０００１】
本発明は、入力された測定データを表示手段にグラフ表示するためのデータ表示装置に係り、特に変動するデータを適切な上下限の目盛りで表示することができるデータ表示装置に関するものである。
【背景技術】
【０００２】
従来、例えば熱電対や測温抵抗体などの温度検出素子からの温度信号の他、接点信号、電圧信号などの信号を取り込み、この取り込んだ信号を各チャンネル毎の測定データとしてその経時変化を表示画面上にチャート表示するペーパーレスの記録計が既に知られている。
この出願の発明に関連する先行技術文献情報としては以下のものがある。
【０００３】
【特許文献１】特公平５−３３７２５号公報
【０００４】
図２は上記特許文献１に開示される記録計の正面図である。図２に示すように、この記録計５１は、表示部５２を有し、例えば熱電対や測温抵抗体などの温度検出素子からの温度信号の他、接点信号や電圧信号などを入力信号として取り込み、この取り込んだ信号を各チャンネル毎の測定データとして表示部５２の表示画面５２ａ上に表示している。その際、表示部５２の表示画面５２ａ上には、各チャンネル毎の測定データの経時変化がチャートとして表示されるようになっている。これにより、記録紙を必要とせず、あたかも記録紙が画面を流れるように各チャンネル毎の測定データをトレンド表示するペーパーレス記録計が構成される。
【０００５】
ところで、上記特許文献１を含め、表示画面上に測定データを表示する従来のペーパーレス記録計では、グラフ表示しようとするデータの変動範囲を予めある程度予想して表示画面の目盛りの上限値と下限値をマニュアルで設定しておき、表示画面の表示範囲を有効に使用し、変動する測定データのグラフがなるべく見やすく表示されるようにしていた。
【発明の開示】
【発明が解決しようとする課題】
【０００６】
しかしながら、上述した従来のペーパーレス記録計では、測定データのグラフを表示画面に表示する際、その都度、表示画面の目盛りに上限値と下限値を設定するという煩わしい操作が必要不可欠であり、また設定した表示画面の目盛りの上限値と下限値が表示しようとするデータの数値範囲に対して必ずしも適切でなく、表示されるグラフが表示画面からはみ出したり、また目盛りの範囲が広すぎてグラフの変動状況が見にくい場合があるという問題があった。
【０００７】
例えば、図３は、上述した従来のペーパーレス記録計において、表示手段に１チャンネルの測定データをグラフ表示した場合の表示例である。ここでは予め指定した目盛りの上限値と下限値による表示範囲を表示データが越えてしまい、グラフの上限側の頂点付近と下限側の頂点付近が表示されておらず、設定した目盛りの上限値と下限値による表示範囲をデータが越えている部分では、目盛り軸に垂直な線が表示されて頂点付近がカットされたような表示になってしまう。
【０００８】
また、図４は、上述した従来のペーパーレス記録計において、パソコンの表示画面を表示手段として１チャンネル分の測定データをグラフ表示した場合の表示例であって、図３とは異なり目盛りの幅を大きめに設定してある。このようにすれば表示データが表示範囲を越えてしまうことは少なくなるが、図４から分かるようにデータの変動が見えにくくなってしまう。
【０００９】
そこで、本発明は、上記問題点に鑑みてなされたものであり、入力されたデータを表示手段上にグラフとして表示するデータ表示装置において、グラフ表示するデータの変動範囲に最も適合した上限値と下限値の目盛り軸を自動的に設定できるようにすることを目的としている。
【課題を解決するための手段】
【００１０】
請求項１に記載されたデータ表示装置は、入力されたデータを表示手段上にグラフとして表示するデータ表示装置において、前記表示手段に表示すべきデータの最大値と最小値を求め、前記表示手段に設定する目盛りの上限値を前記最大値よりも大きく設定し、前記表示手段に設定する目盛りの下限値を前記最小値よりも小さく設定する制御手段を備えたことを特徴としている。
【００１１】
請求項２に記載されたデータ表示装置は、入力されたデータを表示手段上にグラフとして表示するデータ表示装置において、前記表示手段に表示すべきデータの最大値及び最小値を求めてそれぞれ整数Ｍ及び整数ｍに丸め、整数Ｍと整数ｍで桁数の多い方の桁をｎとし、１０(n-1) を演算してＮとし、整数ＭをＮの位で繰上げして得た数値を目盛りの上限値とし、整数ｍをＮの位で切り捨てして得た数値を目盛りの下限値とし、前記表示手段に目盛りの上限値と目盛りの下限値を設定する制御手段を備えたことを特徴としている。
【発明の効果】
【００１２】
請求項１に記載されたデータ表示装置によれば、制御手段が、目盛りの上限値を入力データの最大値よりも大きく設定し、目盛りの下限値を入力データの最小値よりも小さく設定して表示手段に表示するので、入力データのグラフは変動が視認し易く、かつ表示範囲をオーバーすることなく、表示手段に表示することができる。
【００１３】
請求項２に記載されたデータ表示装置によれば、入力データの最大値及び最小値を丸めて求めた整数Ｍ及び整数ｍから所定の手順で目盛りの上限値と下限値を計算し、表示手段に設定して表示するので、グラフ表示すべきデータにとって最も適切な表示範囲が設定され、変動が視認し易くかつ表示範囲をオーバーすることのないグラフ表示を常に行なうことができる。
【発明を実施するための最良の形態】
【００１４】
以下、本発明を実施するために特許出願人が出願時点で最良と思う本発明の実施の形態を図１を参照して説明する。
本例のデータ表示装置は、例えば熱電対や測温抵抗体などの温度検出素子からの温度信号の他、接点信号や電圧信号などを入力信号として取り込み、この取り込んだ信号を各チャンネル毎の測定データとして表示部の表示画面上にグラフで表示することができる。図１は、その表示画面を例示するものであり、ここでは１チャンネルの測定データがグラフ表示されているが、２チャンネル以上を同時に表示しても良い。
【００１５】
ここで、表示画面上のグラフ表示は、各チャンネル毎の測定データの経時変化がチャートとして表示されるようになっており、これにより記録紙を必要とせず、あたかも記録紙が画面上を流れていくように各チャンネル毎の測定データをグラフでトレンド表示することができる。
【００１６】
図１に示すように、本例のデータ表示装置の表示画面１では、トレンド表示される測定データのグラフＧとともに、表示画面の上縁部には目盛りＳが表示され、データ表示可能な範囲が設定される。
【００１７】
本例のデータ表示装置は、入力される測定データを処理し、この測定データを表示するのに最も適切な目盛りＳの上限値Ｈと下限値Ｌを自動的に算出し、表示画面１にこの上限値Ｈと下限値Ｌで設定される表示範囲内に当該測定データのグラフＧをトレンド表示する制御手段を備えている。
【００１８】
具体的には、制御手段は、制御手段に入力されたデータからその最大値と最小値を求め、目盛りの上限値を前記最大値よりも大きく設定し、目盛りの下限値を前記最小値よりも小さく設定し、表示画面１にこの上限値Ｈと下限値Ｌで設定される表示範囲の目盛りＳを表示させるとともに、当該測定データのグラフＧのトレンド表示を行なわせる。
【００１９】
制御手段に入力されたデータから目盛りの上限値Ｈと下限値Ｌを求める手順をさらに具体的に説明すると、まず、表示画面１に表示すべきデータの最大値及び最小値を求め、これらをそれぞれ丸めて整数Ｍ及び整数ｍを得る。次に、整数Ｍと整数ｍを比較して桁数の多い方の桁をｎとし、１０(n-1) を演算してその結果をＮとする。そして、整数ＭをＮの位で繰上げして得た数値を目盛りの上限値Ｈとし、整数ｍをＮの位で切り捨てして得た数値を目盛りの下限値Ｌとする。
【００２０】
制御手段における上記演算の手順を具体的に数値例を挙げて説明する。ここではデータが物理量としていかなるものであるか、即ち単位等はとわず、単に数値のみを挙げて説明することとする。
最初に、データ中の最大値が９５３．２５、最小値が２５．３７であるとする。これらの最大値及び最小値を整数に丸めると、それぞれ整数Ｍ＝９５３及び整数ｍ＝２５を得る。次に、整数Ｍと整数ｍを比較して桁数の多い方、即ち整数Ｍ＝９５３の桁をｎとすれば、３桁であるからｎ＝３となる。そして、１０(n-1) を演算してその結果をＮとする。Ｎ＝１０(3-1) ＝１００となる。そして、整数Ｍ＝９５３をＮ＝１００の位で繰上げすると１０００となり、これが目盛りの上限値Ｈとなる。整数ｍ＝２５をＮ＝１００の位で切り捨てると０となり、これが目盛りの下限値Ｌとなる。結果、目盛りの範囲は０〜１０００となり、最大値が９５３．２５、最小値が２５．３７のデータを範囲オーバーすることなく、かつ変動の状態を最も適切に表現できるように表示することができる。
【００２１】
以上の制御手段における演算の手順では、制御手段に入力されたデータからその最大値と最小値を求めるが、その際には、少なくとも表示画面に表示される時間軸（測定データの単位の目盛りＳの軸に直交する軸）の長さの範囲で測定データを取り込み、少なくともその範囲内で最大値と最小値を求めて上記演算を行なえばよい。
【００２２】
従って、同一チャンネルの測定データを連続してグラフでトレンド表示する場合において、ある時点で最大値や最小値が変化しても、表示画面上の目盛りをこれに合わせて自動的に伸縮させることができ、測定データを範囲オーバーさせずに変動の状態を最も適切に連続して表示することができる。
【００２３】
以上の説明では表示するデータが１チャンネルの場合であったが、測定データが複数チャンネルで目盛りが共通の場合には、複数チャンネルからの複数の測定データから最大値や最小値を求めて上記演算を行い、共通の目盛りについて上限値と下限値を求めればよい。
【００２４】
また、測定データが複数チャンネルで目盛りが複数ある場合には、目盛りを共通にするチャンネルの測定データごとに最大値や最小値を求めて上記演算を行い、共通の目盛りについて上限値と下限値を求めればよい。
【００２５】
本明細書ではデータ表示装置の一例としてペーパーレス記録計を挙げたが、本発明が適用されるデータ表示装置は、要するに入力されたデータを表示手段上にグラフとして表示できる装置であればよく、必ずしもペーパーレス記録計には限定されず、またそのチャンネル数にも限定されない。但し、多チャンネルで目盛りも複数表示するペーパーレス記録計に本発明を適用すれば、多数の目盛りについて上限値と下限値を自動で設定できることから、特に実用上高い効果が得られる。
【図面の簡単な説明】
【００２６】
【図１】本発明の実施の形態におけるデータ表示装置の表示画面の表示例を示す図である。
【図２】従来のペーパーレス記録計の表示画面を示すための正面図である。
【図３】従来のペーパーレス記録計における表示画面の不適当な表示例を示す図である。
【図４】従来のペーパーレス記録計における表示画面の不適当な表示例を示す図である。
【符号の説明】
【００２７】
１…表示画面
Ｓ…目盛り
Ｇ…グラフ
Ｈ…上限値
Ｌ…下限値
【図１】
2005127798.tif 000003
【図２】
2005127798.tif 000004
【図３】
2005127798.tif 000005
【図４】
2005127798.tif 000006